(57)【要約】【課題】  空気調和装置の室外機内の仕切板に取り付けられるリアクタの取り付け構造を簡素化し、製造性のよいリアクタの仕切板への取り付け構造を備えた空気調和装置の室外機を提供することにある。【解決手段】  熱交換器室と、圧縮機室とを区画する仕切板３１に逆三角形の各頂点をなす３か所の位置に圧縮機室側へ突出する切起し３３ａ〜３３ｃを設け、リアクタ４０の四角形をなすリアクタ底板４２の３か所の角部をこの３か所の切起しに差し込み、リアクタ底板４２の上部を１本のネジによって仕切板に固定した。【選択図】図３
2005069623.tif 000002
【特許請求の範囲】
【請求項１】
室外熱交換器、室外送風機を収納する熱交換器室と、インバータ装置により駆動される圧縮機を収納する圧縮機室とを仕切板により区画した空気調和装置の室外機において、前記仕切板に逆三角形の各頂点をなす３か所の位置に圧縮機室側へ突出する切起しを設け、前記インバータ装置の電源側に設けられるリアクタの四角形をなすリアクタ底板の３か所の角部を前記３か所の切起しに差し込み、前記リアクタ底板の上部を１本のネジによって前記仕切板に固定したことを特徴とする空気調和装置の室外機。
【発明の詳細な説明】
【技術分野】
【０００１】
本発明は、空気調和装置の室外機に関し、特に圧縮機を駆動するインバ−タ装置と電源間に介在するリアクタの取り付け構造に関する。
【背景技術】
【０００２】
従来、空気調和装置の室外機は、圧縮機を駆動するインバ−タ装置と電源間に介在する力率開善用のリアクタが室外機内の仕切板に取付け固定されている。このリアクタは交流電源が印加される電気部品であるため、雨水等がかからないように仕切板の中間から上部の間にネジによって固定されるのが一般的である（例えば、特許文献１参照）。
【０００３】
この特許文献１によれば、仕切板の２か所の水平位置にスリット形状の差込みを設け、この差込にリアクタ底板の２か所の角を差込み、その底板の上部の２か所の角に設けられたネジ穴を通して仕切板にネジ止めされるようになっている。
【特許文献１】特許第２８６６３４８号公報
【発明の開示】
【発明が解決しようとする課題】
【０００４】
しかしながら、従来の固定方法においては、リアクタ底板４２の下側に位置する２つの角を差込むための差込みに寸法上のクリアランスが必要となっている。
【０００５】
このため、図５に示すようにリアクタ底板４２を差込み３３に差込んだ場合、リアクタ４０の上部が圧縮室側３０に倒れこむ状態となる。このため、その後のネジ止め時には、リアクタ底板４２が仕切板３１と平行になるようにリアクタ４０の倒れこみを起こしてネジを打つ必要がある。この際、仕切板３１上のネジ穴とリアクタ底板４２のネジ穴との上下左右方向の位置決めも行なわなければならず、製造性に劣るという問題があった。
【０００６】
本発明は、上記事情を考慮してなされたものであり、その目的は、製造性のよいリアクタの仕切板への取り付け構造を備えた空気調和装置の室外機を提供することにある。
【課題を解決するための手段】
【０００７】
上記課題を解決するため、請求項１に係る発明は、仕切板に逆三角形の頂点をなす３か所の位置に圧縮機室側へ突出する切起しを設け、インバータ装置の電源側に設けられるリアクタの四角形をなすリアクタ底板の３か所の角部をこの３か所の切起しに差し込み、前記リアクタの底板の上部を１本のネジによって前記仕切板に固定したことを特徴とする空気調和装置の室外機。
【発明の効果】
【０００８】
本発明によれば、リアクタの仕切板への取り付けにおいて極めて作業性のよい空気調和装置の室外機を提供することができる。
【発明を実施するための最良の形態】
【０００９】
以下、本発明に係る実施の形態を図１ないし図４に基づいて説明する。
図１は、空気調和装置の室外機の断面図であり、この図１において、１は空気調和装置の室外機を示し、この室外機１は図示しない室内機と接続して使用される。
室外機１はその内部に、冷凍サイクルに冷媒を循環させる圧縮機６と、冷媒が流れる伝熱管に所定の間隔を有して板状放熱フィンが積層された室外熱交換器７と、室外熱交換器７に室外空気を通風する室外送風機８等を収納している。
【００１０】
この室外送風機８と室外熱交換器７とを収納する熱交換器室２０と圧縮機６を収納する圧縮機室３０とは仕切板３１によって仕切られ手いる。仕切板３１は室外機の底板２にネジ等により固定され、上部には圧縮機を可変速駆動するインバータ装置を収納する電気部品箱（図示しない）が載置されるようになっている。
【００１１】
仕切板３１は板金等の金属で構成され、図２に示すように仕切板３１の中央部分には、３か所の位置に熱交換器室２０側から圧縮機室３０側へ突出する切起し３３ａ〜３３ｃが設けられている。切起し３３ａ〜３３ｃは、スリット形状をなし、それぞれが逆三角形の頂点をなす位置に配置されている。両側の切起し３３ａと３３ｂは、斜めに傾斜した矩形で、それぞれ向合う側（内側）に開放したスリットとなっている。下端の切起し３３ｃは、逆三角形状で、上側に開放したスリットとなっている。さらに、この仕切板３１には下端の切起し３３ｃの真上方向で、両側の切起し３３ａと３３ｂとの中間の上部位置にネジ穴３５が穿設されている。
【００１２】
一方、図３に示すように、インバータ装置の電源側に設けられる力率改善用のリアクタ４０は、鉄心と巻線からなるリアクタ本体４１と、その下部にリアクタ鉄心に溶接等で強固に固着されたほぼ正方形をなすリアクタ底板４２から構成されている。このリアクタ底板４２は、リアクタ本体を機器に取り付けるために設けられたもので、その４か所の各角部にネジ穴４２ａ〜４２ｄが設けられている。但し、後述するように、本実施例において使用されるネジ穴はネジ穴４２ａの１か所のみであり、残り３か所のネジ穴はなくてもよい。
【００１３】
続いて、このリアクタ４０の仕切板３１への固定方法を説明する。図３、４に示すように、リアクタ底板４２が斜めになるようにして上方から下側に位置する３つの角を３か所の切起し３３ａ〜３３ｃに差し込む。この際、リアクタ底板４２は、３つの角がそれぞれ切起し３３ａ〜３３ｃにより位置決めされる。なお、図３中の破線はリアクタ４０を仕切板に取付けた時のリアクタ４０の位置を示している。
その後、図１に示すようにリアクタ底板４２の残りの１つの角にあるネジ穴４２ａと仕切板３１のネジ穴３５を貫通するようにネジ５０でネジ止めする。ここで、ネジ穴３５は、ネジ穴４２ａより小径となっており、ネジ５０は、ネジ穴４２ａを通ってネジ穴３５で螺着される。
【００１４】
この結果、リアクタ４０は下端及び左右が切起し３３ａ〜３３ｃで支持され、上部がネジ止めされるため、リアクタ４０は全体として４か所の角部すべてが固定されたこととなり、仕切板と強固に一体化され、輸送振動などにも十分に耐えうるものとなる。
【００１５】
この構成では、組み立て作業性を向上させるためにリアクタ底板４２を各切起し３３ａ〜３３ｃに差込み易くなるように大きく突出させても切起し３３ａ〜３３ｃの３か所で位置決めされることから従来のようにリアクタの圧縮機室３０側への倒れこみが発生せず、ネジ止め作業が容易である。
【００１６】
また、３か所で位置決めされるため、最上部に位置するリアクタ底板４２のネジ穴４２ａと仕切板３１のネジ穴３５は自動的に直線上に位置することとなり、ネジ穴を合せるための位置決めは不要となり、作業効率が向上する。さらに、従来のものにおいてはリアクタ４０の仕切板３１への固定のために２本のネジを必要としていたが、本実施例によれば、１本のネジによって仕切板に確実に固定することができる。このため、修理時等でリアクタの取り外しが必要な場合でも、ネジ１本を外すだけでリアクタの取り外しが可能となり、修理サービス性も向上する。
【図面の簡単な説明】
【００１７】
【図１】本発明の実施形態に係る空気調和装置の室外機の斜視図。
【図２】同実施形態の仕切板の一部切欠正面図。
【図３】同実施形態の仕切板へのリアクタ取り付け手順を表す図。
【図４】同実施形態の仕切板へのリアクタ取付け状態を示す側面図。
【図５】従来の仕切板へのリアクタ取り付けの途中の状態を示す側面図。
【符号の説明】
【００１８】
１…室外機、６…圧縮機、７…室外熱交換器、８…室外送風機、３１…仕切板、３３ａ〜３３ｃ…切起し、３５、４２ａ…ネジ穴、５０…ネジ、４０…リアクタ、４２…リアクタ底板
【図１】
2005069623.tif 000003
【図２】
2005069623.tif 000004
【図３】
2005069623.tif 000005
【図４】
2005069623.tif 000006
【図５】
2005069623.tif 000007